(57)【要約】【課題】 簡単な構造で、針外しの孔からハリスが外れることがなく、釣り人が使用して便利である。【解決手段】  釣り針外し具１は、弾性変形可能な可とう性棒本体２と、可とう性棒本体２の先端部２ａに形成した針外しの孔３と、可とう性棒本体２の先端部２ａに針外しの孔３に連通して形成した切り込み４とを有し、切り込み４は、針外しの孔３に向かって切り込み幅Ｄ１を小さくし、かつ針外しの孔３との連通部４ａの切り込み幅Ｄ１の隙間をなくしている。【選択図】図１
2008005772.tif 000002
【特許請求の範囲】
【請求項１】
弾性変形可能な可とう性棒本体と、
前記可とう性棒本体の先端部に形成した針外しの孔と、
前記可とう性棒本体の先端部に前記針外しの孔に連通して形成した切り込みとを有し、
前記切り込みは、前記針外しの孔に向かって切り込み幅を小さくし、かつ前記針外しの孔との連通部の切り込み幅の隙間をなくしたことを特徴とする釣り針外し具。
【請求項２】
前記可とう性棒本体の幅を、前記釣り針の懐の大きさの０．７〜１倍に設定したことを特徴とする請求項１に記載の釣り針外し具。
【請求項３】
前記針外しの孔を軸方向に長く形成し、
前記針外しの孔の中央部より先端側に、前記針外しの孔との連通部を形成したことを特徴とする請求項１または請求項２に記載の釣り針外し具。
【発明の詳細な説明】
【技術分野】
【０００１】
この発明は、海釣りや川釣りに用いられる釣り針外し具に関するものである。
【背景技術】
【０００２】
海釣りや川釣りに用いられる釣り用具として、例えば釣り針外し具が用いられている。従来の釣り針外し具には、先端が螺旋状のもの、また針外しの孔を有するもの等があり、その中でも、魚を傷つけず簡易に針を外すことができることから針外しの孔を有する針外しが広く釣り人に愛用されている（特許文献１）。
【特許文献１】特開２００２-２１８８９２号公報
【発明の開示】
【発明が解決しようとする課題】
【０００３】
ところで、従来の針外しの孔を有する釣り針外し具は、針外しの孔に連通して切り込みが形成され、切り込みにハリス(針を結んである糸)をあてがい針外しの孔に導いているが、例えば特に高齢者が魚に飲み込まれた釣り針を外そうとする場合には、切り込みが小さくハリスを切り込みにあてがい針外しの孔に導くことができなかった。また、魚に飲み込まれた釣り針を外そうとするときに、針外しの孔からハリスが切り込みを通って外れて上手に釣り針が外れないことがあった。また、針外しの幅が狭いと、針外しの孔から釣り針の先が飛び出して、1度外れた釣り針が再び魚の口腔中に刺さって抜けなくなることもあった。
【０００４】
この発明は、かかる点に鑑みてなされたもので、簡単な構造で、針外しの孔からハリスが外れることがなく、釣り人が使用して便利な釣り針外し具を提供することを目的としている。  
【課題を解決するための手段】
【０００５】
前記課題を解決し、かつ目的を達成するために、この発明は、以下のように構成されている。
【０００６】
請求項１に記載の発明は、
弾性変形可能な可とう性棒本体と、
前記可とう性棒本体の先端部に形成した針外しの孔と、
前記可とう性棒本体の先端部に前記針外しの孔に連通して形成した切り込みとを有し、
前記切り込みは、前記針外しの孔に向かって切り込み幅を小さくし、かつ前記針外しの孔との連通部の切り込み幅の隙間をなくしたことを特徴とする釣り針外し具である。
【０００７】
請求項２に記載の発明は、
前記可とう性棒本体の幅を、前記釣り針の懐の大きさの０．７〜１倍に設定したことを特徴とする請求項１に記載の釣り針外し具である。
【０００８】
請求項３に記載の発明は、
前記針外しの孔を軸方向に長く形成し、
前記針外しの孔の中央部より先端側に、前記針外しの孔との連通部を形成したことを特徴とする請求項１または請求項２に記載の釣り針外し具である。
【発明の効果】
【０００９】
前記構成により、この発明は、以下のような効果を有する。
【００１０】
請求項１に記載の発明では、可とう性棒本体の先端部に針外しの孔に連通して形成した切り込みを有し、切り込みは、針外しの孔に向かって切り込み幅を小さくしているから、例えば高齢者が魚に飲み込まれた釣り針を外そうとするときでも、簡単かつ確実に切り込みにハリスをあてがい針外しの孔に導くことができる。また、針外しの孔との連通部の切り込み幅の隙間をなくしたから、ハリスによって切り込みの連通部を弾性変形させて広げて強制的に通過させ、ハリスを連通部から針外しの孔に導くことができ、針外しの孔に一旦入ったハリスは針外しの孔から外れない。このため魚に飲み込まれた釣り針を外そうとする場合、釣り針を捕捉したまま可とう性棒本体の先端部を押し込むことで釣り魚の口内に引っ掛かった釣り針を簡単な操作で迅速に取外し、釣り針を捕捉したまま可とう性棒本体の先端部を口内から引き出すことができる。
【００１１】
請求項２に記載の発明では、可とう性棒本体の幅を、釣り針の懐の大きさの０．７〜１倍に設定したから、釣り針の先の飛び出しを少なくでき、１度外れた釣り針が口腔中に再び刺さって抜けなくなることを防止でき、かつ釣り針が針外しの孔から外れることを防止できる。
【００１２】
請求項３に記載の発明では、針外しの孔の中央部より先端側に、針外しの孔との連通部を形成したから、釣り針が針外しの孔の手元側に引っかかり、ハリスが先端側の針外しの孔との連通部の位置に位置することはないので、ハリスが連通部から抜けて針外しの孔から釣り針がはずれることはない。
【発明を実施するための最良の形態】
【００１３】
以下、この発明の釣り針外し具の実施の形態について説明するが、この発明の実施の形態は、発明の最も好ましい形態を示すものであり、この発明はこれに限定されない。
【００１４】
まず、釣り針外し具について、図１乃至図５に基づいて説明する。図１は釣り針外し具の正面図、図２は釣り針外し具の側面図、図３乃至図５は釣り針外し具の使用状態を示す図である。
【００１５】
この実施の形態の釣り針外し具１は、弾性変形可能な可とう性棒本体２を有し、この可とう性棒本体２としては、例えば板状の樹脂で形成されている。可とう性棒本体２は、先端部２ａに軸方向に長く形成した針外しの孔３と、先端部２ａの側面２ａ１からに針外しの孔３に連通して形成した切り込み４とを有する。切り込み４は、針外しの孔３に向かって切り込み幅Ｄ１を小さくし、かつ針外しの孔３との連通部４ａの切り込み幅Ｄ１の隙間をなくしている。
【００１６】
このように、可とう性棒本体２は、先端部２ａに針外しの孔３に連通して形成した切り込み４を有し、この切り込み４は、針外しの孔３に向かって切り込み幅Ｄ１を小さくしているから、例えば高齢者が魚に飲み込まれた釣り針５を外そうとするときでも、簡単かつ確実に切り込み４にハリス７をあてがい針外しの孔３に導くことができる。また、針外しの孔３との連通部４ａは、切り込み幅Ｄ１の隙間をなくしたから、ハリス７を通過させるときには、切り込み４の連通部４ａを弾性変形させて強制的に広げて通過させ、ハリス７を連通部４ａから針外しの孔３に導くことができる。
【００１７】
また、針外しの孔３との連通部４ａの切り込み幅Ｄ１の隙間をなくしたから、針外しの孔３に一旦入ったハリス７は針外しの孔３から外れないから魚に飲み込まれた釣り針５を外そうとする場合でも、釣り針５を捕捉したまま可とう性棒本体２の先端部２ａを押し込むことで釣り魚の口内に引っ掛かった釣り針５を簡単な操作で迅速に取外し、釣り針を捕捉したまま可とう性棒本体２の先端部２ａを口内から引き出すことができる。
【００１８】
また、可とう性棒本体２は、板状であり、長手方向の幅Ｗ１と短手方向の幅Ｗ２を有し、可とう性棒本体２の短手方向の幅Ｗ２を、釣り針５の懐の大きさＤ２の０．７〜１倍に設定しているが、０．９〜１倍がより好ましい。このように、可とう性棒本体２の短手方向の幅Ｗ２を、釣り針５の懐の大きさＤ２の０．７〜１倍に設定しており、可とう性棒本体２の短手方向の幅Ｗ２が規定より狭いと、釣り針５の先５ａの飛び出し量が多くなる。したがって、1度外れた釣り針５が再び口腔中に刺さって抜けなくなり、規定より広いと釣り針５が針外しの孔３から外れる虞があるが、可とう性棒本体２の短手方向の幅Ｗ２を、釣り針５の懐の大きさＤ２の０．７〜１倍に設定することで、１度外れた釣り針５が再び口腔中に刺さって抜けなくなることを防止でき、かつ釣り針５が針外しの孔３から外れることを防止できる。
【００１９】
また、針外しの孔３の中央部Ｌ１より先端側に、針外しの孔３との連通部４ａが形成されているから、先端側の連通部４ａからハリス７が針外しの孔３に入り、釣り針５は図５に示すように、針外しの孔３の手元側に引っかかり、ハリス７が先端側の連通部４ａの位置に位置することはないので、ハリス７が連通部４ａから抜けて針外しの孔３から釣り針５がはずれることはない。
【００２０】
次に、この釣り針外し具１の使用状態を、図３乃至図５に基づいて説明する。釣り針５を釣り魚６が飲込んで口内深くに引っ掛かったとき、釣り人は釣り魚６を掴み釣り糸であるハリス７を張る。例えば、釣り人はハリス７を口にくわえて張り、ハリス７に釣り針外し具１の切り込み４をあてがって、ハリス７を切り込み４に導き係合する（図３）。切り込み４は、針外しの孔３に向かって切り込み幅Ｄ１を小さくしているから、例えば高齢者が魚に飲み込まれた釣り針５を外そうとするときでも、簡単かつ確実に切り込み４にハリス７をあてがい針外しの孔３に導くことができる。
【００２１】
針外しの孔３との連通部４ａの切り込み幅Ｄ１の隙間をなくしているが、ハリス７によって切り込み４の連通部４ａが弾性変形し、連通部４ａが広がって強制的にハリス７が通過して、ハリス７を連通部４ａから針外しの孔３に導くことができる。針外しの孔３に一旦入ったハリス７は針外しの孔３から外れないから、可とう性棒本体２の先端部２ａを釣り魚６の口内に導入し（図４）、釣り針５を捕捉したまま可とう性棒本体２の先端部２ａを押し込むことで釣り魚の口内に引っ掛かった釣り針５を簡単な操作で迅速に取外し（図５）、釣り針５を捕捉したまま可とう性棒本体２の先端部２ａを口内から引き出すことができる。
【００２２】
また、可とう性棒本体２の短手方向の幅Ｗ２を、釣り針５の懐の大きさＤ２の０．７〜１倍に設定しており、図５に示すように、釣り針５が口腔中に刺さって抜けなくなることを防止でき、かつ釣り針５が針外しの孔３から外れることを防止できる。
【００２３】
また、針外しの孔３の中央部Ｌ１より先端側に、針外しの孔３との連通部４ａを形成したから、先端側の連通部４ａからハリス７が針外しの孔３に入り、針外しの孔３の手元側に引っかかり、ハリス７が先端側の連通部４ａの位置に位置することはないので、ハリス７が連通部４ａから抜けて針外しの孔３から釣り針５がはずれることはない。
【００２４】
なお、この実施の形態では、可とう性棒本体２の形状を板状としているが、丸棒状としてもよい。また、釣り針外し具は、釣り針外しに限定されず、遊動浮木の足部に適用することができ、さらに遊動おもりなどにも用いることができ、大きさは使用する釣り糸の大きさに合わせる。この釣り針外し具は、特に、動浮木、遊動おもりに用いると、その交換に便利であると共に、小型、軽量である。
【産業上の利用可能性】
【００２５】
この発明は、海釣りや川釣りに用いられる釣り針外し具に適用でき、簡単な構造で、針外しの孔からハリスが外れることがなく、釣り人が使用して便利である。
【図面の簡単な説明】
【００２６】
【図１】釣り針外し具の正面図である。
【図２】釣り針外し具の側面図である。
【図３】釣り針外し具の使用状態を示す図である。
【図４】釣り針外し具の使用状態を示す図である。
【図５】釣り針外し具の使用状態を示す図である。
【符号の説明】
【００２７】
１  釣り針外し具
２  可とう性棒本体
２ａ  可とう性棒本体２の先端部
３  針外しの孔
４  切り込み
５  釣り針
７  ハリス
【図１】
2008005772.tif 000003
【図２】
2008005772.tif 000004
【図３】
2008005772.tif 000005
【図４】
2008005772.tif 000006
【図５】
2008005772.tif 000007